(57)【特許請求の範囲】
【請求項１】
メディアに格納された画像データに基づく画像のプリント注文を受け付け、当該プリント注文に応じたプリントをプリント装置に作成させるためのプリント注文受付装置であって、
当該プリント注文受付装置にセットしようとする前記メディアの種類を判別する判別手段、および
前記判別手段によって判別された前記メディアの種類を報知する報知手段を備え、
前記判別手段は、
当該プリント注文受付装置で使用可能な各メディアに対応する凹部を有するプレート状部材、
当該プリント注文受付装置にセットしようとする前記メディアが前記プレート状部材の前記凹部に配置されたとき当該凹部と当該メディアとが合致しているか否かを検知する検知手段、および
前記検知手段の検知結果に基づいて当該メディアの種類を決定する決定手段を含む、プリント注文受付装置。
【請求項２】
メディアに格納された画像データに基づく画像のプリント注文を受け付け、当該プリント注文に応じたプリントをプリント装置に作成させるためのプリント注文受付装置であって、
当該プリント注文受付装置にセットしようとする前記メディアの種類を判別する判別手段、および
前記判別手段によって判別された前記メディアを当該プリント注文受付装置にセットするための案内情報を報知する報知手段を備え、
前記判別手段は、
当該プリント注文受付装置で使用可能な各メディアに対応する凹部を有するプレート状部材、
当該プリント注文受付装置にセットしようとする前記メディアが前記プレート状部材の前記凹部に配置されたとき当該凹部と当該メディアとが合致しているか否かを検知する検知手段、および
前記検知手段の検知結果に基づいて当該メディアの種類を決定する決定手段を含む、プリント注文受付装置。
【発明の詳細な説明】
【技術分野】
【０００１】
この発明は、プリント注文受付装置に関し、より特定的には、メディアに格納された画像データに基づく画像のプリント注文を受け付け、当該プリント注文に応じたプリントをプリント装置に作成させるためのプリント注文受付装置に関する。
【背景技術】
【０００２】
近年、ＤＰＥ店等では、顧客によって持ち込まれるＣＤ−Ｒやメモリスティック等の各種メディアに格納される画像データに基づく画像のプリント注文を、プリント注文受付装置によって受け付け、プリントを作成するサービスが普及しつつある。
【発明の開示】
【発明が解決しようとする課題】
【０００３】
しかし、プリント注文受付装置によって顧客がプリントを注文するためには、顧客は所持しているメディアを自分で判断しメディアの種類を認識した上で、それに合ったメディアドライブやメディアリーダの挿入口へメディアを挿入する必要があり、メディアに関する知識を要していた。そのため、メディアに関する知識に乏しい顧客はメディアを誤挿入する恐れがあり、容易かつ円滑にプリント注文できない場合があった。
それゆえに、この発明の主たる目的は、容易かつ円滑にプリント注文できる、プリント注文受付装置を提供することである。
【課題を解決するための手段】
【０００４】
上述の目的を達成するために、請求項１に記載のプリント注文受付装置は、メディアに格納された画像データに基づく画像のプリント注文を受け付け、当該プリント注文に応じたプリントをプリント装置に作成させるためのプリント注文受付装置であって、当該プリント注文受付装置にセットしようとするメディアの種類を判別する判別手段、および判別手段によって判別されたメディアの種類を報知する報知手段を備え、判別手段は、当該プリント注文受付装置で使用可能な各メディアに対応する凹部を有するプレート状部材、当該プリント注文受付装置にセットしようとするメディアがプレート状部材の凹部に配置されたとき当該凹部と当該メディアとが合致しているか否かを検知する検知手段、および検知手段の検知結果に基づいて当該メディアの種類を決定する決定手段を含むことを特徴とする。
【０００５】
請求項２に記載のプリント注文受付装置は、メディアに格納された画像データに基づく画像のプリント注文を受け付け、当該プリント注文に応じたプリントをプリント装置に作成させるためのプリント注文受付装置であって、当該プリント注文受付装置にセットしようとするメディアの種類を判別する判別手段、および判別手段によって判別されたメディアを当該プリント注文受付装置にセットするための案内情報を報知する報知手段を備え、判別手段は、当該プリント注文受付装置で使用可能な各メディアに対応する凹部を有するプレート状部材、当該プリント注文受付装置にセットしようとするメディアがプレート状部材の凹部に配置されたとき当該凹部と当該メディアとが合致しているか否かを検知する検知手段、および検知手段の検知結果に基づいて当該メディアの種類を決定する決定手段を含むことを特徴とする。
【０００９】
請求項１に記載のプリント注文受付装置では、画像データが格納されているメディアの種類が判別され、判別されたメディアの種類が報知される。これによって顧客はメディアに関する知識を全く有さずとも、自らが所持しているメディアを認識でき、そのメディアをプリント注文受付装置の所定の箇所に確実にセットでき、容易かつ円滑にプリント注文できる。また、請求項１に記載のプリント注文受付装置では、プレート状部材の凹部にメディアを配置したとき、凹部とメディアとが合致したことを検知手段が検知すれば、当該メディアの種類はそれが配置された凹部に対応するメディアに決定される。このように、凹部にメディアを嵌めるだけで容易にメディアの種類を判別できる。
【００１０】
請求項２に記載のプリント注文受付装置では、画像データが格納されているメディアの種類が判別され、判別されたメディアをプリント注文受付装置にセットするための案内情報が報知される。たとえばそのメディアを挿入すべきメディア挿入口が報知される。これによって顧客は、自らが所持しているメディアをプリント注文受付装置のどこにセットすればよいのかがわかるので、そのメディアをプリント注文受付装置の所定の箇所に確実にセットでき、容易かつ円滑にプリント注文できる。また、請求項２に記載のプリント注文受付装置では、プレート状部材の凹部にメディアを配置したとき、凹部とメディアとが合致したことを検知手段が検知すれば、当該メディアの種類はそれが配置された凹部に対応するメディアに決定される。このように、凹部にメディアを嵌めるだけで容易にメディアの種類を判別できる。
【発明の効果】
【００１５】
この発明によれば、容易かつ円滑にプリント注文できる。
【発明を実施するための最良の形態】
【００１６】
以下、図面を参照して、この発明の実施の形態について説明する。
この発明の一実施形態のプリント注文受付装置１０は、プリント注文を顧客の指示に従って受け付け、メディアから取得した画像データに基づく画像のプリントをプリント装置に作製させるためのセルフ型のプリント注文受付装置である。プリント注文受付装置１０は、たとえば、プリントの作製サービスを提供するＤＰＥ店等に設置される。
【００１７】
図１〜図３を参照して、プリント注文受付装置１０は装置本体１１を含み、装置本体１１はコントローラ１２を含む。
【００１８】
図２に示すように、コントローラ１２は、バス１４で相互に接続されたＣＰＵ１２ａ、ＲＯＭ１２ｂおよびＲＡＭ１２ｃを含む。コントローラ１２には、各種プログラムやデータを格納するハードディスクドライブ（ＨＤＤ：ハードディスクを含む）１６と画像やテキストを表示するタッチパネル式ディスプレイ１８とが接続される。
【００１９】
ＣＰＵ１２ａは、ＲＯＭ１２ｂやＨＤＤ１６等に格納された各種のプログラムを実行し、Ｉ／Ｏインタフェースを介してコントローラ１２に接続されるプリント注文受付装置１０の各構成要素に指示を与え、プリント注文受付装置１０の動作を制御する。
【００２０】
ＲＯＭ１２ｂは、起動用プログラム等を格納している。起動用プログラムは、プリント注文受付装置１０の電源投入時にＣＰＵ１２ａによって実行される。これによって、ＨＤＤ１６に格納されているオペレーティングシステム（ＯＳ）等のプログラムがＲＡＭ１２ｃにロードされ、各種の処理や制御が実行可能となる。
【００２１】
ＲＡＭ１２ｃには、プリント注文受付装置１０を制御するプログラムが展開され、このプログラムによる処理結果、処理のための一時データ、タッチパネル式ディスプレイ１８の画面上に表示するための表示用データ（テキストデータ、画像データ等）等を保持し、ＣＰＵ１２ａの作業領域として使用される。ＲＡＭ１２ｃ上に展開された表示用データは、タッチパネル式ディスプレイ１８に伝達され、タッチパネル式ディスプレイ１８は、その画面上に表示用データに対応する表示内容（テキスト、画像等）を表示し、たとえば図５に示すような画面を表示する。
【００２２】
ＨＤＤ１６は、ＣＰＵ１２ａの指示に従って、プログラム、制御用データ、テキストデータ、画像データ等を、ハードディスクから読み出しまたハードディスクに対して書き込む。この実施形態では、ＨＤＤ１６内のハードディスクに、図４に示す動作を行うためのプログラムが格納され、当該プログラムをＣＰＵ１２ａが読み出して実行することにより処理が実行される。また、ＨＤＤ１６内には、プリント注文受付装置１０で使用可能な各メディアの形状に関するメディア情報が格納されている。
【００２３】
タッチパネル式ディスプレイ１８は、たとえば液晶ディスプレイ等によって構成され、画面上に表示されるボタンイメージ等の画像に顧客や店員が触れることによって、データや指示がコントローラ１２に与えられる。
【００２４】
また、コントローラ１２には、ＣＤ−ＲＷドライブ２０、ＭＯドライブ２２、ＳＤカードリーダ２４、メモリスティックリーダ２６、スマートメディアリーダ２８、コンパクトフラッシュ（登録商標）リーダ３０およびネットワークインターフェース３２が接続される。
【００２５】
ＣＤ−ＲＷドライブ２０は、ＣＰＵ１２ａの指示に従って、種々のデータを、ＣＤ−Ｒ３４あるいはＣＤ−ＲＷ３４ａから読み出しまたＣＤ−ＲＷ３４ａに書き込む。同様に、ＭＯドライブ２２は、ＣＰＵ１２ａの指示に従って、種々のデータを、ＭＯ３６から読み出しまたＭＯ３６に書き込む。ＣＤ−ＲＷドライブ２０は、たとえば、顧客によって持ち込まれるＣＤ−Ｒ３４あるいはＣＤ−ＲＷ３４ａから画像データを読み出すために用いられる。ＭＯドライブ２２についても同様である。
【００２６】
なお、プリント注文受付装置１０に用いられるメディアドライブは、ＣＤ−ＲＷドライブ２０およびＭＯドライブ２２に限定されず、ＤＶＤ−ＲＷドライブやＺＩＰ（登録商標）ドライブを用いるようにしてもよい。また、ＣＤ−ＲＷドライブ２０によって、ＣＤ−ＲＯＭに格納されるデータを読み出し可能なことは言うまでもない。
【００２７】
また、装置本体１１はメディアリーダを含み、対応するメディアがセットされることで、ＣＰＵ１２ａはそのメディアから画像データを読み出し可能となる。この実施形態では、プリント注文受付装置１０において、ＳＤカード３８、メモリスティック４０、スマートメディア４２およびコンパクトフラッシュ（登録商標）４４を使用可能とするが、これらに限定されない。ＳＤカード３８、メモリスティック４０、スマートメディア４２およびコンパクトフラッシュ（登録商標）４４はそれぞれ、対応するＳＤカードリーダ２４、メモリスティックリーダ２６、スマートメディアリーダ２８およびコンパクトフラッシュリーダ３０にセットされ、画像データが読み出される。
【００２８】
図１に、ＣＤ−ＲＷドライブ２０、ＭＯドライブ２２、ＳＤカードリーダ２４、メモリスティックリーダ２６、スマートメディアリーダ２８およびコンパクトフラッシュリーダ３０のそれぞれのメディア挿入口２０ａ，２２ａ，２４ａ，２６ａ，２８ａおよび３０ａを示す。
【００２９】
また、コントローラ１２には、携帯電話接続ケーブルを介してカメラ付携帯電話４６が接続可能である。カメラ付携帯電話４６がコントローラ１２に接続されることで、ＣＰＵ１２ａはカメラ付携帯電話４６に格納されている画像データを読み出し可能となる。
【００３０】
各種メディア（この実施形態では、ＣＤ−Ｒ３４あるいはＣＤ−ＲＷ３４ａ、ＭＯ３６、ＳＤカード３８、メモリスティック４０、スマートメディア４２およびコンパクトフラッシュ４４）あるいはカメラ付携帯電話４６から読み出された画像データは、ＲＡＭ１２ｃに保持される。言い換えれば、顧客によって持ち込まれる各種メディアあるいはカメラ付携帯電話４６に格納される画像データがプリント注文受付装置１０に取得される。
【００３１】
なお、各種メディアあるいはカメラ付携帯電話４６から読み出される画像データのファイル形式は特に限定されず、ＧＩＦ形式、ＪＰＥＧ形式、ＢＭＰ形式、ＴＩＦＦ形式等のいずれのファイル形式であっても画像データを読み出すことができる。
【００３２】
ＲＡＭ１２ｃに保持される画像データは、たとえば、ＣＰＵ１２ａの指示に従って、プリント注文受付装置１０と一体的に連結されるセルフプリント装置Ｐ１に入力される。
【００３３】
セルフプリント装置Ｐ１は、タッチパネル式ディスプレイ１８を介して与えられる顧客等の指示に従って、プリント注文受付装置１０から出力された画像データに基づく画像を用紙に形成し、プリント（セルフプリント）を作製する。プリント注文受付装置１０にセルフプリント装置Ｐ１が接続されることによって、その場でプリントを作製し、顧客に提供することができる。セルフプリント装置Ｐ１としては、たとえば、固形カラーインクを塗布したインクリボンにプリンタヘッドによって熱を加えてカラーインクを昇華させ、ポリエステル系樹脂でコートされた専用の用紙にカラーインクを付着させる昇華型カラープリンタが用いられる。セルフプリント装置Ｐ１においては、Ｌ版など通常のプリントの他にも、シール用紙に画像を形成することでシールプリントを作製することもできる。
【００３４】
ネットワークインターフェース３２は、ネットワークＮＴに接続されており、ネットワークＮＴ経由で他の装置とのデータの送受信あるいはプログラムやデータのダウンロード（アップロード）をＣＰＵ１２ａの指示に従って行うために用いられる。
【００３５】
この実施形態では、プリント注文受付装置１０は、ネットワークＮＴを介してデジタル露光式プリント装置Ｐ２に接続される。プリント注文受付装置１０から送信された画像データは、ネットワークＮＴを経由してデジタル露光式プリント装置Ｐ２のコントローラに入力される。ネットワークＮＴの通信プロトコルとしては、たとえばＴＣＰ／ＩＰ通信プロトコル等が用いられる。
【００３６】
デジタル露光式プリント装置Ｐ２は、ネットワークＮＴ経由で入力された画像データに基づく画像をデジタル露光ヘッドによって銀塩印画紙に露光（形成）し、露光済み銀塩印画紙に現像および乾燥処理を施すことによって銀塩プリントを作製する。デジタル露光式プリント装置Ｐ２によれば、セルフプリント装置Ｐ１によって作製されるセルフプリントよりも高品質（高画質）な銀塩プリントを作製することができる。
【００３７】
なお、ネットワークＮＴは、１つのＤＰＥ店内でプリント注文受付装置１０とデジタル露光式プリント装置Ｐ２とを接続するＬＡＮ（Local Area Network）であってもよいし、インターネットを経由して複数のＤＰＥ店間でプリント注文受付装置１０とデジタル露光式プリント装置Ｐ２とを接続するＷＡＮ（Wide Area Network）であってもよい。ＷＡＮによるネットワークＮＴを構築することによって、デジタル露光式プリント装置Ｐ２が設置されていないＤＰＥ店のプリント注文受付装置１０から他のＤＰＥ店のデジタル露光式プリント装置Ｐ２に画像データを送信することができる。
【００３８】
また、ネットワークＮＴを介して複数のプリント注文受付装置１０を接続し、複数のプリント注文受付装置１０の間でデータの送受信を行うこともできる。
【００３９】
そして注目すべきは、プリント注文受付装置１０は、さらに、メディアを配置するテーブル４８、テーブル４８上のメディアを撮影するカメラ５０、およびフラットベッドスキャナなどのスキャナ５２を含むことである。カメラ５０およびスキャナ５２はそれぞれ、コントローラ１２に接続されておりメディア自体の画像を取得できる。また、スキャナ５２によって、たとえばプリント等に形成される画像を画像データとして取得できる。
【００４０】
スキャナ５２によってプリント等の画像を読み取る場合には、スキャナ５２のガラス面５２ａ上に直接プリント等が配置され、その上に上部カバー５２ｂが被せられる。また、スキャナ５２によってメディア自体の画像を取得する場合には、スキャナ５２のガラス面５２ａ上に透明シート５２ｃが被せられ、その透明シート５２ｃ上にメディアが配置され、その上に上部カバー５２ｂが被せられる。このようにメディアを透明シート５２ｃ上に配置することによって、ガラス面５２ａがメディアによって傷つくことを防ぐ。
【００４１】
この実施形態では、タッチパネル式ディスプレイ１８が報知手段に相当し、テーブル４８、カメラ５０およびスキャナ５２が取得手段に相当し、ＲＯＭ１２ｂ、ＲＡＭ１２ｃおよびＨＤＤ１６が記憶手段に相当し、コントローラ１２が決定手段に相当する。
【００４２】
ついで、図４を参照して、プリント注文受付装置１０のプリント注文受け付け時の処理の一例について説明する。
まず、タッチパネル式ディスプレイ１８の画面上に表示されるサービス選択画面において、顧客がプリント注文ボタンを押すと、タッチパネル式ディスプレイ１８には、顧客が持ち込むメディアをテーブル４８上に配置するかまたはスキャナ５２の透明シート５２ｃ上に配置し上部カバー５２ｂを被せるかのいずれかを行うようにメッセージが表示され、メディアの配置が指示される（ステップＳ１）。
【００４３】
メディアをテーブル４８上にセットするとカメラ５０によってメディア自体が撮影され、メディアをスキャナ５２にセットするとスキャナ５２によってメディア自体が撮影され、メディア自体の画像が取得される（ステップＳ３）。その画像データはＣＰＵ１２ａに送られる。なお、カメラ５０によってメディア自体を撮影する場合には、テーブル４８とカメラ５０との距離を固定しテーブル４８上の所定の箇所にメディアを配置することが好ましい。
【００４４】
ＣＰＵ１２ａは、このように取得した画像とＨＤＤ１６に予め格納しておいた各メディアの形状に関するメディア情報との比較に基づいて、カメラ４８またはスキャナ５２で取得した画像が示すメディアの種類を決定する（ステップＳ５）。そして、ＣＰＵ１２ａは、決定されたメディアの種類および対応するメディア挿入口をたとえばタッチパネル式ディスプレイ１８によって報知させる（ステップＳ７）。図５を参照して、このとき、タッチパネル式ディスプレイ１８には、プリント注文受付装置１０で使用可能な６つのメディアおよびそれらのメディア挿入口（メディアドライブ、メディアリーダ）を指し示す矢印のうち、決定された１つのメディアおよびそのメディア挿入口を指し示す矢印だけが表示される。このようにして、決定されたメディアの種類およびそのメディアをプリント注文受付装置１０にセットするための案内情報が報知される。なお、決定されたメディアおよびそのメディア挿入口を顧客が認識できる限りにおいて、タッチパネル式ディスプレイ１８における表示態様は上述のものに限定されず、たとえば決定されたメディアおよびそのメディア挿入口を指し示す矢印だけを点滅表示させてもよい。
【００４５】
その報知に従って、顧客が所持しているメディアを対応するメディア挿入口に挿入しセットすると、タッチパネル式ディスプレイ１８にはプリント注文処理を進めるためのメッセージが表示され、顧客はそれに従って操作を進めていき、所定のプリント注文処理が実行される（スップＳ９）。
【００４６】
そして、セルフプリント装置Ｐ１あるいはデジタル露光式プリント装置Ｐ２に注文データが出力され（ステップＳ１１）、プリント注文受付処理が終了する。
【００４７】
銀塩プリントを作製する場合、画像データを含む注文データがコントローラ１２からネットワークＮＴ経由でデジタル露光式プリント装置Ｐ２のコントローラに出力（送信）され、画像データに基づく画像のプリントを作製する指示がデジタルプリント装置Ｐ２に与えられる。そして、デジタル露光式プリント装置Ｐ２において、画像データに基づく画像が銀塩印画紙に形成され、銀塩プリントが作製される。
【００４８】
また、セルフプリントを作製する場合、画像データを含む注文データがコントローラ１２からセルフプリント装置Ｐ１に出力され、画像データに基づく画像のプリントを作製する指示がセルフプリント装置Ｐ１に与えられる。そして、セルフプリント装置Ｐ１において、画像データに基づく画像が用紙に形成され、セルフプリントが作製される。
【００４９】
プリント注文受付装置１０によれば、画像データが格納されているメディアの種類が判別され、判別されたメディアの種類、および判別されたメディアを挿入すべきメディア挿入口が報知される。これによって顧客は、メディアに関する知識を全く有さずとも、所持しているメディアの種類を認識でき、そのメディアをプリント注文受付装置１０の所定の箇所に確実にセットでき、容易かつ円滑にプリント注文できる。
【００５０】
また、メディア自体の画像を取得することによって容易かつ確実にメディアの種類を決定できる。メディア自体の画像の取得にカメラ５０を用いることによって、比較的立体的なメディアであっても容易にその画像を取得することができる。また、メディア自体の画像を取得するためにスキャナ５２を用いる場合には、スキャナ５２をプリントすべき画像を画像データとして取り込む処理にも兼用できる。
【００５１】
ついで、図６および図７を参照して、この発明の他の実施形態のプリント注文受付装置１０ａについて説明する。
プリント注文受付装置１０ａは、装置本体１１と装置本体１１に接続されるプレート部材１００とを含む。プリント注文受付装置１０と同様の構成要素については同一の符号を付すことによって重複する説明は省略する。
【００５２】
プレート状部材１００にはプリント注文受付装置１０ａで使用可能な各メディアに対応した凹部が形成されている。すなわち、プレート状部材１００には、ＣＤ−Ｒ３４（ＣＤ−ＲＷ３４ａ）、ＭＯ３６、ＳＤカード３８、メモリスティック４０、スマートメディア４２およびコンパクトフラッシュ４４のそれぞれに対応する形状および大きさの凹部１０２，１０４，１０６，１０８，１１０および１１２が設けられている。凹部１０２〜１１２の形状、大きさおよび対応するメディアに関する凹部情報は、ＨＤＤ１６に格納されている。
【００５３】
凹部１０２〜１１２の底面にはそれぞれ、載せられた物の接触部すなわち底面形状をたとえば圧力等に基づいて検知可能なセンサ１０２ａ〜１１２ａが配置される。各センサ１０２ａ〜１１２ａからの検知信号は装置本体１１のコントローラ１２に送信され、ＣＰＵ１２ａによって、センサから送られてきた検知信号とＨＤＤ１６に格納されている凹部情報とに基づいて、顧客が持ち込もうとしているメディアとそのメディアが配置された凹部とが合致しているか否かが判断される。
【００５４】
ＣＰＵ１２ａは、メディアと凹部とが合致していなければ、たとえばタッチパネル式ディスプレイ１８にその旨を表示するとともにメディアを他の凹部上に配置することを促すメッセージを表示させる。メディアと凹部とが合致するまで、この表示が繰り返される。
【００５５】
そして、ＣＰＵ１２ａは、両者が合致すれば、メディアの種類は当該凹部に対応するメディアであると決定する。そして、先の実施形態と同様、ＣＰＵ１２ａは、決定されたメディアの種類とそのメディア挿入口とをたとえばタッチパネル式ディスプレイ１８によって報知させ、顧客はその報知に従ってメディアをセットする。
【００５６】
この実施形態では、センサ１０２〜１１２およびコントローラ１２が検知手段に相当し、コントローラ１２が決定手段に相当する。
【００５７】
プリント注文受付装置１０ａによれば、プレート状部材１００の凹部１０２〜１１２のいずれかにメディアを配置したとき、凹部とメディアとが合致すれば、当該メディアの種類はそれが嵌められた凹部に対応するメディアに決定される。
【００５８】
このように、凹部にメディアを嵌めるだけで容易にメディアの種類を判別でき、顧客は、メディアをプリント注文受付装置１０ａの所定の箇所に確実にセットでき、容易かつ円滑にプリント注文できる。
【００５９】
なお、プリント注文受付装置１０ａにおいて、メディアと凹部とが合致しているか否かをプレート状部材１００に配置されたセンサによって検出し、その検出信号をコントローラ１２に与えるようにしてもよい。この場合、センサが検出手段に相当する。
【００６０】
また、メディアの種類等の報知は、タッチパネル式ディスプレイ１８による視覚的な表示に限定されず、スピーカによる音声案内であってもよい。
【００６１】
さらに、プリント注文受付装置１０が、さらにプレート状部材１００を備えるようにしてもよい。
【００６２】
また、メディアと同寸法の写真を貼り付けたプレート状部材を準備し、顧客は所持するメディアをプレート状部材上の写真と比較することによってメディアの種類を認識するようにしてもよい。
【図面の簡単な説明】
【００６３】
【図１】この発明のプリント注文受付装置の一例を示す図解図である。
【図２】図１のプリント注文受付装置を示すブロック図である。
【図３】図１のプリント注文受付装置が用いられる画像処理システムの一例を示す図解図である。
【図４】図１のプリント注文受付装置の動作の一例を示すフロー図である。
【図５】タッチパネル式ディスプレイに表示される画面を説明するための図解図である。
【図６】この発明のプリント注文受付装置の他の例を示す図解図である。
【図７】図６のプリント注文受付装置を示すブロック図である。
【符号の説明】
【００６４】
１０，１０ａ      プリント注文受付装置
１１      装置本体
１２      コントローラ
１２ａ      ＣＰＵ
１２ｂ      ＲＯＭ
１２ｃ      ＲＡＭ
１６      ＨＤＤ
１８      タッチパネル式ディスプレイ
２０      ＣＤ−ＲＷドライブ
２２      ＭＯドライブ
２４      ＳＤカードリーダ
２６      メモリスティックリーダ
２８      スマートメディアリーダ
３０      コンパクトフラッシュリーダ
２０ａ，２２ａ，２４ａ，２６ａ，２８ａ，３０ａ      メディア挿入口
３４      ＣＤ−Ｒ
３４ａ    ＣＤ−ＲＷ
３６      ＭＯ
３８      ＳＤカード
４０      メモリスティック
４２      スマートメディア
４４      コンパクトフラッシュ
４８      テーブル
５０      カメラ
５２      スキャナ
１００      プレート状部材
１０２，１０４，１０６，１０８，１１０，１１２      凹部
１０２ａ，１０４ａ，１０６ａ，１０８ａ，１１０ａ，１１２ａ      センサ
Ｐ１      セルフプリント装置
Ｐ２      デジタル露光式プリント装置
【図１】
0004655806.tif 000002
【図２】
0004655806.tif 000003
【図３】
0004655806.tif 000004
【図４】
0004655806.tif 000005
【図５】
0004655806.tif 000006
【図６】
0004655806.tif 000007
【図７】
0004655806.tif 000008